(57)【要約】【課題】  競技者個々のタイムを適切に計時できる競技用計時システム等を提供する。【解決手段】  無線タグ３０は、スタート前に送られたタイム情報（カウントダウン時刻）に同期し、スタート予定時刻までのカウントダウン時刻の計時を開始し、スタート予定時刻が経過した後は、０からのカウントアップ時刻の計時を行う。そして、競技が開始され、競技者ＲＮと共に移動した無線タグ３０は、計時地点から送られるタイム情報（ランニングタイム）との同期を試みるが、受信等できなかった場合に、スタート予定時刻を起点としたカウントアップ時刻にて計時した計測タイムを、計測タイム受信機１９（タグコンソール１７）に送信する。計時地点のタグコンソール１７は、この計測タイムを取得すると、差分情報（スタート予定時刻と実際のスタート時刻との時差）を用いて、計測タイムを補正する。【選択図】  図１
2006133151.tif 000002
【特許請求の範囲】
【請求項１】
競技者に携帯される計時機器と、前記計時機器が計時した計測タイムを受信するタイム受信機と、を含む競技用計時システムであって、
前記計時機器は、
競技のスタート予定時刻までのカウントダウン時刻を計時すると共に、当該スタート予定時刻からのカウントアップ時刻を計時する計時手段と、
前記スタート予定時刻と実際のスタート時刻との時差が補正されたカウントアップ時刻を受信する受信手段と、
前記受信手段が受信した前記補正されたカウントアップ時刻に従って、前記計時手段が計時する時刻を補正する時刻補正手段と、
計時地点にて発信される所定のトリガ信号に基づいて前記計時手段が計時した時刻を計測タイムとして特定する特定手段と、
前記特定手段が特定した前記計測タイムを前記タイム受信機に向けて送信するタイム送信手段と、を備え、
前記タイム受信機は、
前記計時機器から送られる前記計測タイムを受信するタイム受信手段と、
前記タイム受信手段が受信した前記計測タイムに補正の必要があるか否かを判別する判別手段と、
前記判別手段により補正の必要があると判別された場合に、前記計測タイムを補正する補正手段と、を備える、
ことを特徴とする競技用計時システム。
【請求項２】
前記判別手段は、前記スタート予定時刻を起点とする前記カウントアップ時刻にて、前記計測タイムが計時されている場合に、前記計測タイムに補正の必要があると判別し、
前記補正手段は、前記スタート予定時刻と前記実際のスタート時刻との時差を示す差分情報に基づいて、前記計測タイムを補正する、
ことを特徴とする請求項１に記載の競技用計時システム。
【請求項３】
前記受信手段は、競技のスタート前に、前記スタート予定時刻までの前記カウントダウン時刻を受信し、
前記計時手段は、前記受信手段が受信した前記カウントアップ時刻に同期して、前記スタート予定時刻までの前記カウントダウン時刻の計時を開始する、
ことを特徴とする請求項１又は２に記載の競技用計時システム。
【請求項４】
競技者に携帯される計時機器と、前記計時機器が計時した計測タイムを受信するタイム受信機と、を含むシステムにおけるタイム計時方法であって、
前記計時機器において、競技のスタート予定時刻までのカウントダウン時刻を計時すると共に、当該スタート予定時刻からのカウントアップ時刻を計時する計時ステップと、
前記計時機器において、前記スタート予定時刻と実際のスタート時刻との時差が補正されたカウントアップ時刻を受信する受信ステップと、
前記受信ステップにて受信した前記補正されたカウントアップ時刻に従って、前記計時ステップにて計時される時刻を補正する時刻補正ステップと、
計時地点にて発信される所定のトリガ信号に基づいて前記計時ステップにて計時された時刻を計測タイムとして特定する特定ステップと、
前記特定ステップにて特定した前記計測タイムを前記タイム受信機に向けて送信するタイム送信ステップと、
前記タイム受信機において、前記計時機器から送られる前記計測タイムを受信するタイム受信ステップと、
前記タイム受信ステップにて受信した前記計測タイムに補正の必要があるか否かを判別する判別手段と、
前記判別ステップにて補正の必要があると判別された場合に、前記計測タイムを補正する補正ステップと、
を備えることを特徴とするタイム計時方法。
【発明の詳細な説明】
【技術分野】
【０００１】
この発明は、競技者個々のタイムを適切に計時することのできる競技用計時システムおよびタイム計時方法に関する。
【背景技術】
【０００２】
近年、マラソン競技等において、競技者個々のゴールタイムを計測（計時）する試みがなされている。例えば、競技者のゼッケン等にバーコードを印刷しておき、ゴールした競技者のバーコードをリーダにて読み取った時刻に基づいて、競技者個々のゴールタイムを計測する計時システムも実用化されている。
それでも従来の計時システムでは、ゴール後に所定時間かけてバーコードの読み取りを行うため、そもそも実測よりも遅れたゴールタイムが計測されていた。特に、大勢の競技者が同時期にゴールした場合等では、バーコードの読み取り待ちが生じてしまい、実測よりもかなり遅れたゴールタイムが計測されてしまうという問題があった。
また、ゴールタイムだけでなく、各中継地点における通過タイムを含めた競技タイムも計測したいという要望が高まっているが、従来の計時システムでは、これに対応できなかった。
【０００３】
このような問題を解決するため、種々の計時システムが開発され、実用化に向けた運用試験等が試みられている。新たな計時システムは、より実測に近いタイムを計測するために、また、各計時ポイントにおける計測も可能とするために、非接触にて競技者個々のタイムを計測する形態が主流となっている。
具体的には、競技者が携帯する（ゼッケン等に付けられた）発信器から発せられる電波信号等によりタイムを計測したり、また、撮影した映像から競技者やゼッケン等を識別してタイムを計測する、というものである。
【０００４】
中でも、競技者に発信器を携帯させる計時システムは、実用化に向けて種々の工夫がなされている。一例として、ゴールラインに沿った幅の狭い範囲内に発信器により引き金信号を発信させ、競技者と共に発信器がゴールラインに到達すると、発信器から自動的に固有番号信号を送信させるといった技術も開示されている（例えば、特許文献１参照）。
【特許文献１】特開平８−５７１０４号公報  （第３−６頁、第１図）
【発明の開示】
【発明が解決しようとする課題】
【０００５】
特許文献１に開示される技術は、発信器から送信された固有番号信号をレシーバが受信した時点で、スタートからの時間（タイム）を測定するものである。そして、同時期に大勢の競技者がゴールラインに到達すると、各発信器から送信される固有番号信号が重なり合って、その識別を行えない場合がある。そのため、発信器が固有番号信号を１回だけ発信するのではなく、複数回に渡って発信することで、レシーバでの固有番号の読み取り不能（取りこぼし）を回避しようとしている。
【０００６】
しかしながら、測定されるタイムが、固有番号信号を受信できた時点で計時されるため、固有番号信号に重なりが生じると、レシーバが固有番号信号をとりこぼし、次の固有番号を受信してしまい、測定されるタイムが実測よりも幾分遅れてしまうという問題があった。
また、固有番号信号の受信によるタイムの計測を、そもそも制限のある範囲内（トリガ信号が送信される幅の狭い範囲内）にて、全て行わなければならないため、固有番号信号の重なりが多数であると、複数回の発信が行われたとしても、固有番号信号の取りこぼしが生じてしまうという問題があった。
【０００７】
本発明は、上記実状に鑑みてなされたもので、競技者個々のタイムを適切に計時することのできる競技用計時システムおよびタイム計時方法を提供することを目的とする。
【課題を解決するための手段】
【０００８】
上記目的を達成するため、本発明の第１の観点に係る競技用計時システムは、
競技者に携帯される計時機器と、前記計時機器が計時した計測タイムを受信するタイム受信機と、を含む競技用計時システムであって、
前記計時機器は、
前記競技のスタート予定時刻までのカウントダウン時刻を計時すると共に、当該スタート予定時刻からのカウントアップ時刻を計時する計時手段と、
スタート予定時刻と実際のスタート時刻との時差が補正されたカウントアップ時刻を受信する受信手段と、
前記受信手段が受信した前記補正されたカウントアップ時刻に従って、前記計時手段が計時する時刻を補正する時刻補正手段と、
計時地点にて発信される所定のトリガ信号に基づいて前記計時手段が計時した時刻を計測タイムとして特定する特定手段と、
前記特定手段が特定した前記計測タイムを前記タイム受信機に向けて送信するタイム送信手段と、を備え、
前記タイム受信機は、
前記計時機器から送られる前記計測タイムを受信するタイム受信手段と、
前記タイム受信手段が受信した前記計測タイムに補正の必要があるか否かを判別する判別手段と、
前記判別手段により補正の必要があると判別された場合に、前記計測タイムを補正する補正手段と、を備える、
ことを特徴とする。
【０００９】
この発明によれば、計時機器の計時手段は、競技のスタート予定時刻までのカウントダウン時刻を計時すると共に、当該スタート予定時刻からのカウントアップ時刻を計時する。また、受信手段は、スタート予定時刻と実際のスタート時刻との時差が補正されたカウントアップ時刻を受信する。時刻補正手段は、受信手段が受信した補正されたカウントアップ時刻に従って、計時手段が計時する時刻を補正する。特定手段は、計時地点にて発信される所定のトリガ信号に基づいて計時手段が計時した時刻を計測タイムとして特定する。そして、タイム送信手段は、特定手段が特定した計測タイムをタイム受信機に向けて送信する。
一方、タイム受信機のタイム受信手段は、計時機器から送られる計測タイムを受信する。また、判別手段は、タイム受信手段が受信した計測タイムに補正の必要があるか否かを判別する。そして、補正手段は、判別手段により補正の必要があると判別された場合に、計測タイムを補正する。
【００１０】
この結果、競技者個々のタイムを適切に計時することができる。
【００１１】
前記判別手段は、前記スタート予定時刻を起点とする前記カウントアップ時刻にて、前記計測タイムが計時されている場合に、前記計測タイムに補正の必要があると判別し、
前記補正手段は、前記スタート予定時刻と前記実際のスタート時刻との時差を示す差分情報に基づいて、前記計測タイムを補正してもよい。
【００１２】
前記受信手段は、競技のスタート前に、前記スタート予定時刻までの前記カウントダウン時刻を受信し、
前記計時手段は、前記受信手段が受信した前記カウントアップ時刻に同期して、前記スタート予定時刻までの前記カウントダウン時刻の計時を開始してもよい。
【００１３】
上記目的を達成するため、本発明の第２の観点に係るタイム計時方法は、
競技者に携帯される計時機器と、前記計時機器が計時した計測タイムを受信するタイム受信機と、を含むシステムにおけるタイム計時方法であって、
前記計時機器において、競技のスタート予定時刻までのカウントダウン時刻を計時すると共に、当該スタート予定時刻からのカウントアップ時刻を計時する計時ステップと、
前記計時機器において、前記スタート予定時刻と実際のスタート時刻との時差が補正されたカウントアップ時刻を受信する受信ステップと、
前記受信ステップにて受信した前記補正されたカウントアップ時刻に従って、前記計時ステップにて計時される時刻を補正する時刻補正ステップと、
計時地点にて発信される所定のトリガ信号に基づいて前記計時ステップにて計時された時刻を計測タイムとして特定する特定ステップと、
前記特定ステップにて特定した前記計測タイムを前記タイム受信機に向けて送信するタイム送信ステップと、
前記タイム受信機において、前記計時機器から送られる前記計測タイムを受信するタイム受信ステップと、
前記タイム受信ステップにて受信した前記計測タイムに補正の必要があるか否かを判別する判別手段と、
前記判別ステップにて補正の必要があると判別された場合に、前記計測タイムを補正する補正ステップと、
を備えることを特徴とする。
【００１４】
この発明によれば、計時機器において、計時ステップは、競技のスタート予定時刻までのカウントダウン時刻を計時すると共に、当該スタート予定時刻からのカウントアップ時刻を計時する。また、受信ステップは、スタート予定時刻と実際のスタート時刻との時差が補正されたカウントアップ時刻を受信する。時刻補正ステップは、受信ステップにて受信した補正されたカウントアップ時刻に従って、計時ステップにて計時される時刻を補正する。特定ステップは、計時地点にて発信される所定のトリガ信号に基づいて計時ステップにて計時された時刻を計測タイムとして特定する。そして、タイム送信ステップは、特定ステップにて特定した計測タイムをタイム受信機に向けて送信する。
一方、タイム受信機において、タイム受信ステップは、計時機器から送られる計測タイムを受信する。また、判別手段は、タイム受信ステップにて受信した計測タイムに補正の必要があるか否かを判別する。そして、補正ステップは、判別ステップにて補正の必要があると判別された場合に、計測タイムを補正する。
【００１５】
この結果、競技者個々のタイムを適切に計時することができる。
【発明の効果】
【００１６】
本発明によれば、競技者個々のタイムを適切に計時することができる。
【発明を実施するための最良の形態】
【００１７】
本発明の実施の形態にかかる競技用計時システムについて、以下図面を参照して説明する。なお、一例として、マラソン競技において複数地点にてタイムの計時を行う競技用計時システムとして説明する。
【００１８】
（実施形態１）
図１は、この発明の第１の実施形態に適用される競技用計時システム１の構成の一例を示す模式図である。なお、以下ではタイムの計時を行う中継地点やゴール地点を、便宜的にまとめて計時地点として説明する。つまり、計時地点は、中継地点やゴール地点を示すものとする。また、ゴール地点がスタート地点と異なる場合について説明する。
【００１９】
図示するように、競技用計時システム１は、スタート地点に設置されたタイマコンソール１１、標準時刻受信機１２、無線通信端末１３、時刻表示装置１４、タイム送信機１５、タグＩＤ受信機１６、及び、タグコンソール１７と、計時地点（中継地点やゴール地点）に設置されたタイマコンソール１１、標準時刻受信機１２、無線通信端末１３、時刻表示装置１４、タイム送信機１５、タグＩＤ受信機１６、タイム受信機としてのタグコンソール１７、トリガ信号発生装置１８、計測タイム受信機１９、撮影装置２０、映像記録装置２１、及び、データサーバ２２と、各競技者ＲＮにそれぞれ携帯される計時機器としての無線タグ３０と、を含んで構成される。
【００２０】
なお、スタート地点のタイマコンソール１１には、スタートピストルＳＰが接続されており、また、計時地点のタイマコンソール１１には、グリップスイッチＧＳが接続されている。
スタートピストルＳＰは、スタータの操作に応答して、スタート信号をタイマコンソール１１に供給する。また、グリップスイッチＧＳは、審判員等の操作に応答して、グリップ信号をタイマコンソール１１に供給する。
【００２１】
タイマコンソール１１は、標準時刻受信機１２が受信した標準時刻に同期し、後述するカウントダウン時刻やカウントアップ時刻等を計時する。そして、計時している時刻をタイム情報として時刻表示装置１４やタイム送信機１５に供給する。
具体的にタイマコンソール１１は、図２に示すように、制御部１１ａと、記憶部１１ｂと、表示器１１ｃと、テンキー１１ｄと、タイマ１１ｅと、プリンタ１１ｆと、を含んで構成される。
【００２２】
制御部１１ａは、ＣＰＵ（Central Processing Unit）等からなり、タイマコンソール１１全体を制御する。
記憶部１１ｂは、ＲＡＭ（Random Access Memory）等からなり、後述するスタート予定時刻や、差分情報（スタート予定時刻と実際のスタート時刻との時差）等を記憶する。
【００２３】
表示器１１ｃは、ＬＣＤ（Liquid Crystal Display）等からなり、オペレーションガイダンスや操作内容を表示したり、タイマ１１ｅが計時する時刻（カウントダウン時刻やカウントアップ時刻）等を表示する。
テンキー１１ｄは、作業者等の操作に従って、競技のスタート予定時刻等の情報を入力する。
【００２４】
タイマ１１ｅは、標準時刻受信機１２が受信した標準時刻に同期し、スタート予定時刻までのカウントダウン時刻を計時すると共に、スタート予定時刻からのカウントアップ時刻等を計時する。つまり、標準時刻を基準として、スタート予定時刻までの残り時間を減算カウントする。そして、ゼロまでカウントすると（カウントダウンが終了すると）、今度は、その時点（スタート予定時刻）からの経過時間を加算カウントする。
なお、タイマ１１ｅは、安定水晶発振器を備えており、標準時刻に同期した後に、安定した時刻の計時を維持することが可能となっている。
【００２５】
プリンタ１１ｆは、スタート信号入力時刻（実際のスタート時刻）や、グリップ信号入力時刻（グリップ時刻）等を所定の用紙に印刷する。
【００２６】
このような構成のタイマコンソール１１は、競技開始の所定時間前までに、タイマ１１ｅが標準時刻に同期し、そして、テンキー１１ｄからスタート予定時刻が入力されると、その予定時刻までのカウントダウン時刻の計時を開始する。やがて、カウントダウン時刻が０となり、スタート予定時刻までの計時を終えると、タイマコンソール１１は、自動的にその時点からの（０からの）カウントアップ時刻の計時に切り換える。
つまり、図３（ａ）に示すように、タイマコンソール１１は、スタート予定時刻まではダウンカウント（減算カウント）による計時を行い、スタート予定時刻が経過した後は、アップカウント（加算カウント）による計時を行う。
【００２７】
なお、スタート地点のタイマコンソール１１は、スタートピストルＳＰからスタート信号が入力されると、計時している時刻（カウントダウン時刻、若しくは、カウントアップ時刻）を０にクリアし、０からのカウントアップ時刻（ランニングタイム）の計時を開始する。同時に、タイマコンソール１１は、クリア直前に計時していた時刻（カウントダウン時刻、若しくは、カウントアップ時刻）を、実際のスタート時刻とスタート予定時刻との差分（時差）として特定し、この差分を示す差分情報を記憶部１１ｂに記憶する。
一例として、カウントダウン時刻の３０秒を計時していた場合、差分をプラス３０秒として特定する。また、カウントアップ時刻の２０秒を計時していた場合、差分をマイナス２０秒として特定する。
【００２８】
例えば、図３（ｂ）に示すように、スタート予定時刻が経過して、アップカウントによる計時を行っている途中で、スタート信号が入力された場合に、タイマコンソール１１は、時刻を０にクリアし、この時点からのカウントアップ時刻の計時を行う。そして、タイマコンソール１１は、差分α（差分情報）を記憶部１１ｂに記憶する。
そして、スタート地点のタイマコンソール１１は、このようにして得た差分情報（差分α）を、無線通信端末１３から他のタイマコンソール１１に向けて送信する。
【００２９】
一方、計時地点のタイマコンソール１１は、スタート地点の無線通信端末１３から送られた差分情報を無線通信端末１３にて受信すると、その差分情報を無線通信端末１３から取得して記憶部１１ｂに記憶する。また、取得した差分情報をタグコンソール１７に供給する
そして、計時地点のタイマコンソール１１は、この差分情報に基づいて、自己のタイマ１１ｅが計時している時刻を補正する。
例えば、図３（ｃ）に示すように、スタート予定時刻が経過して、アップカウントによる計時を行っている途中で、差分情報（差分α）を得た場合に、タイマコンソール１１は、差分αにより時刻を補正し、補正後の時刻からのカウントアップ時刻（ランニングタイム）の計時を行う。
このような差分情報を用いた補正により、計時地点のタイマコンソール１１は、スタート地点のタイマコンソール１１と同期したカウントアップ時刻（ランニングタイム）を計時することになる。
【００３０】
また、タイマコンソール１１は、このようにしてタイマ１１ｅが計時する時刻からタイム情報を生成し、時刻表示装置１４及びタイム送信機１５に供給する。
【００３１】
図１に戻って、標準時刻受信機１２は、例えば、ＧＰＳ（Global Positioning System）受信機からなり、ＧＰＳ衛星から送信される標準時刻（ＧＰＳ時刻）を受信する。なお、標準時刻受信機１２は、この他にも長波受信機等からなり、長波による標準電波として送信される標準時刻を受信してもよい。
標準時刻受信機１２は、受信した標準時刻をタイマコンソール１１に供給する。
【００３２】
無線通信端末１３は、公衆回線（移動体通信網等）を介して他の無線通信端末１３との間でデータ通信が可能な携帯電話等からなる。
そして、スタート地点の無線通信端末１３は、タイマコンソール１１から供給された差分情報を含む通信データを、計時地点の無線通信端末１３に送信する。この際、スタート地点の無線通信端末１３は、他の無線通信端末１３との間で、１対１にて順次差分情報を送信してもよく、また、同報通信等により、１対多にて一斉に差分情報を送信してもよい。
一方、計時地点の無線通信端末１３は、スタート地点の無線通信端末１３から送られた差分情報を受信し、受信した差分情報をタイマコンソール１１に供給する。
【００３３】
時刻表示装置１４は、電光掲示板等からなり、タイマコンソール１１から順次供給されるタイム情報に従って、カウントダウン時刻やカウントアップ時刻（ランニングタイム）を表示する。
【００３４】
また、計時地点の時刻表示装置１４は、先頭走者（先頭の競技者）が通過した際に、カウントアップ時刻（ランニングタイム）に代えて、ビハインドリーダ等の時刻情報を表示してもよい。なお、ビハインドリーダは、先頭走者との時刻差を示す情報である。
例えば、時刻表示装置１４は、競技者が誰も通過していない状態で、カウントアップ時刻を順次表示し、先頭の競技者が通過すると、カウントアップ時刻からビハインドリーダに切り替え、以降、ビハインドリーダを順次表示するようにしてもよい。
【００３５】
タイム送信機１５は、各競技者ＲＮ（各無線タグ３０）に向けて、タイマコンソール１１から供給されるタイム情報（カウントダウン時刻やカウントアップ時刻）等を送信して、無線タグ３０が計時する時刻を適宜補正（又は設定）させる。
具体的にスタート地点のタイム送信機１５は、競技のスタート前に全ての無線タグ３０に向けて、ブロードキャストにて一斉にタイム情報（カウントダウン時刻）、関門ＩＤ及び、しきい値ｎを含む情報を送信する。なお、タイム送信機１５は、各無線タグ３０に向けて、個別にタイム情報等を送信してもよい。この場合、無線タグ３０側での受信状況を個別に判別することもでき、無線タグ３０側の取りこぼしを防止することができる。
ところで、タイム情報と共に無線タグ３０に送られる関門ＩＤとは、各タイム送信機１５に対して、スタート地点から順番に採番された識別番号である。例えば、各関門ＩＤは、「０」（スタート地点），「１」（１番目の計時地点），「２」（２番目の計時地点），・・・と、順番に採番されている。
また、しきい値ｎとは、送信されたタイム情報（カウントアップ時刻）の正確さを無線タグ３０にて判別するために使用される値である。
なお、スタート地点のタイム送信機１５は、無線タグ３０に最初に時刻を設定させるため、連続して複数回（例えば、１秒間隔で３回以上）に渡り、タイム情報（カウントダウン時刻）等を送信する。
一方、計時地点のタイム送信機１５は、走行する競技者ＲＮからみて計時ポイント（後述する計時ラインＬ）よりも手前に配置されており、近傍に位置する競技者ＲＮの無線タグ３０に向けて、タイム情報（カウントアップ時刻）及び、関門ＩＤを含む情報を送信する。
【００３６】
タグＩＤ受信機１６は、タイム送信機１５が送信したタイム情報等に応答して無線タグ３０から返信されるタグＩＤ（無線タグ３０に固有の識別情報）を受信する。そして、受信したタグＩＤをタグコンソール１７に供給する。
なお、計時地点のタグＩＤ受信機１６も、タイム送信機１５と同様に、走行する競技者ＲＮからみて計測ポイントよりも手前に配置されており、競技者ＲＮが後述する計測ゾーンＺに到達する前に、無線タグ３０から返信されるタグＩＤを受信する。
【００３７】
タイム受信機としてのタグコンソール１７は、ＣＰＵ等の制御部、ＲＡＭ等のメモリ、ＬＣＤ等の表示部、及び、キーボード等の操作部を含んで構成され、無線タグ３０から送信される情報等を管理する。
なお、スタート地点のタグコンソール１７は、タグＩＤ受信機１６から供給されるタグＩＤだけを管理し、また、計時地点のタグコンソール１７は、タグＩＤ受信機１６から供給されるタグＩＤ及び、計測タイム受信機１９から供給される計測タイム等も管理する。
具体的にスタート地点のタグコンソール１７は、スタート前に取得した各タグＩＤから、各無線タグ３０にカウントダウン時刻が設定されたことを確認する。なお、タグＩＤが取得されない場合は、そのタグＩＤを送信するはずの無線タグ３０が故障や電池切れの可能性があるため、適宜交換等が行われる。
【００３８】
また、計時地点のタグコンソール１７は、スタート後にタイマコンソール１１から供給された差分情報を自己のメモリに記憶した状態で、計測タイム受信機１９を通じて計測タイム等を取得する。その際、計時地点のタグコンソール１７は、自己のメモリに適宜生成した図４に示すポーリングリストにより、対象の無線タグ３０からの計測タイム等の取得状況を管理する。
具体的に計時地点のタグコンソール１７は、制御部が所定のプログラムを実行することにより、図５に示す、タグＩＤ取得部１７ａ、ポーリングリスト管理部１７ｂ、タイム受信手段としての計測タイム取得部１７ｃ、判別手段及び補正手段としての計測タイム補正部１７ｄ、及び、ポーリング制御部１７ｅとして機能する。
【００３９】
タグＩＤ取得部１７ａは、タグＩＤ受信機１６が受信したタグＩＤを取得する。つまり、計時ポイントに接近する競技者ＲＮの無線タグ３０から送られるタグＩＤを取得する。
【００４０】
ポーリングリスト管理部１７ｂは、タグＩＤ取得部１７ａがタグＩＤを取得すると、図４に示すポーリングリストにそのタグＩＤを登録する。なお、タグＩＤが取得できなかった（タグＩＤ受信機１６がタグＩＤを受信できなかった）場合に、ポーリングリスト管理部１７ｂは、操作部からの入力に応答して、対象となるタグＩＤをポーリングリストに登録してもよい。
また、ポーリングリスト管理部１７ｂは、計測タイム取得部１７ｃが計測タイム等を取得した際に、ポーリングリストから対象のタグＩＤ等を削除する。
【００４１】
計測タイム取得部１７ｃは、計測タイム受信機１９が受信した計測タイム等（タグＩＤ、計測タイム、関門ＩＤ、及び、補正値α）を取得する。この補正値αは、無線タグ３０にてタイム情報（カウントアップ時刻）を受信する度に補正した時刻（時差）を累積した累積時差βから求められた値である。
【００４２】
計測タイム補正部１７ｄは、計測タイム取得部１７ｃが取得した関門ＩＤがその計時地点におけるタイム送信機１５の関門ＩＤと異なっている場合に、計測タイムを適宜補正する。
例えば、関門ＩＤが０（スタート地点）となっている場合に、無線タグ３０（後述する計時ユニット３４）が計時する時刻は、スタート予定時刻を起点としたカウントアップ時刻のままとなっている。つまり、実際のランニングタイム（差分情報によって補正されたカウントアップ時刻等）とずれが生じている。そのため、計測タイム補正部１７ｄは、メモリに記憶した差分情報（タイムコンソール１１から供給された差分情報）を用いて、計測タイムを補正する。
また、関門ＩＤが０以外でも、その計時地点の関門ＩＤと異なっている場合、無線タグ３０が計時する時刻に誤差が生じている可能性がある。
具体的に説明すると、マラソンコースの各５ｋｍ間隔（例えば、５ｋｍ地点、１０ｋｍ地点、１５ｋｍ地点等）に計時地点があるとき、当該計時地点（例えば、１５ｋｍ地点）で関門ＩＤが一致している場合には、当該計時地点にて無線タグ３０の時刻が補正されている。一方、関門ＩＤが一致していない場合には、当該計時地点にて時刻の補正が行われておらず、以前の計時地点（例えば、１０ｋｍ地点）にて補正された時刻に基づいて計測タイムが計時されている。
そのため、関門ＩＤが一致していない場合に、計測タイム補正部１７ｄは、補正値αを使用して、計測タイムを補正する必要がある。この際、以前の計時地点（例えば、１０ｋｍ地点）での補正値αを参酌して、計測タイムを補正する。一例として、計測タイム補正部１７ｄは、以下の数式１に示すように、計測タイムを補正する。
【００４３】
（数１）
Ｔa ＝ Ｔ＋α・Ｔ
Ｔa：補正した計測タイム
Ｔ：計測タイム
α：補正値
【００４４】
ポーリング制御部１７ｅは、計測タイム等が取得できなかった（計測タイム受信機１９が計測タイム等を受信できなかった）場合に、計測タイム受信機１９を制御して、無線タグ３０から計測タイム等をポーリング受信する。
例えば、ポーリング制御部１７ｅは、ポーリングリストに登録した後、一定時間経過してもポーリングリストに残っているタグＩＤがある場合に、そのタグＩＤの無線タグ３０に向けて計測タイム受信機１９からポーリング受信させる。
【００４５】
このような構成のタグコンソール１７は、無線タグ３０から取得した計測タイム又は、補正した計測タイムを、タグＩＤと共にデータサーバ２２に送信する。なお、ポーリング受信を試みた後でも、ポーリングリストから削除されずに残っているタグＩＤがある場合、タグコンソール１７は、そのタグＩＤに対応する競技者ＲＮを未通過者として映像記録装置２１等に通知し、通過の有無と計測タイムの特定（判定）を要求する。
【００４６】
計時地点に設置されるトリガ信号発生装置１８は、例えば、走行路の沿道から計時ポイントとなる計時ラインＬに向けて設置され、計時ラインＬを中心とした所定範囲の計測ゾーンＺ内において、トリガ信号を発する。
一例として、トリガ信号発生装置１８は、２４ＧＨｚのマイクロ波を発生させ、所定のパラボラアンテナにより計測ゾーンＺ内に向けてトリガ信号を送信する。なお、トリガ信号発生装置１８は、トリガ信号の指向性が得られ、同様に計測ゾーンＺ内に向けてトリガ信号を送信できればよいため、ＵＷＢ（Ultra Wide Band）等の通信技術を適用してもよい。
【００４７】
計時地点に設置される計測タイム受信機１９は、近傍に位置する（計測ゾーンＺを通過した後の）競技者ＲＮの無線タグ３０から送られる計測タイム等（タグＩＤ、計測タイム、関門ＩＤ、及び、補正値α）を受信する。また、計測タイム受信機１９は、タグコンソール１７に制御され、ポーリングにて無線タグ３０から計測タイム等を受信する。
そして、計測タイム受信機１９は、受信した計測タイム等をタグコンソール１７に供給する。
【００４８】
計時地点に設置される撮影装置２０は、例えば、ビデオカメラ等からなり、計時ラインＬを通過する競技者ＲＮの映像を撮影する。
具体的に撮影装置２０は、走行する競技者からみてトリガ信号発生装置１８よりも遠方（前方）に配置され、競技者のゼッケンや顔等が分かるように、競技者の正面（前面）の映像を撮影する。そして、撮影した映像（映像信号）を映像記録装置２１に供給する。
【００４９】
計時地点に設置される映像記録装置２１は、ビデオ記録装置等からなり、撮影装置２０から供給される映像信号に、タイマコンソール１１から供給されるグリップ時刻やカウントアップ時刻（ランニングタイム）等のタイムデータを合成して（同期させて）、記録する。
【００５０】
計時地点に設置されるデータサーバ２２は、タグコンソール１７や映像記録装置２１等から適宜データを取得し、公式タイムや着順等の判定を行う。
また、データサーバ２２は、所定の操作部から、競技者ＲＮの選手情報や使用される無線タグ３０のタグＩＤ等が入力されると、これらの情報を関連付けて記憶し、タイマコンソール１１やタグコンソール１７に適宜供給する。また、判定した公式タイム等もタイマコンソール１１に供給する。
【００５１】
競技者ＲＮに携帯される計時機器としての無線タグ３０は、スタート前に、スタート地点のタイム送信機１５から送信されるタイム情報を受信して、タイマコンソール１１にて計時される時刻（カウントダウン時刻）に同期した時刻の計時を開始する。やがて、カウントダウン時刻が０となり、カウントダウン時刻の計時を終えると、自動的にその時点からの（０からの）カウントアップ時刻の計時に切り換える。
また、計時地点のタイム送信機１５から送信されるタイム情報を受信して、タイマコンソール１１にて計時されるカウントアップ時刻（ランニングタイム）に同期した時刻を計時する。
そして、トリガ信号発生装置１８から発せられるトリガ信号を検出して、計時ラインＬにおける計測タイムを特定し、計測タイム受信機１９に計測タイムを送信する。
具体的に無線タグ３０は、図６に示すように、アンテナ３１と、受信手段としての受信ユニット３２と、時刻補正手段としてのタイム補正ユニット３３と、計時手段としての計時ユニット３４と、トリガアンテナ３５と、トリガ検出ユニット３６と、特定手段としてのタイム特定ユニット３７と、記憶部３８と、タイム送信手段としての送信ユニット３９と、を含んで構成される。
【００５２】
アンテナ３１は、送受信用のアンテナである。
受信ユニット３２は、アンテナ３１を介して、タイム送信機１５から送信されるタイム情報等を受信する。
具体的に受信ユニット３２は、スタート前にスタート地点のタイム送信機１５から送信されるタイム情報（カウントダウン時刻）、関門ＩＤ（０の識別番号）及び、しきい値ｎを含む情報を受信する。なおこの際、タイム送信機１５からは、連続して複数回（例えば、１秒間隔で３回以上）に渡って送信されるカウントダウン時刻等を受信する。
また、受信ユニット３２は、計時地点のタイム送信機１５から送信されるタイム情報（カウントアップ時刻）及び、関門ＩＤ（１以上の識別番号）を含む情報を受信する。
そして、受信ユニット３２は、受信したタイム情報等をタイム補正ユニット３３に供給する。
この他にも受信ユニット３２は、計時地点の計測タイム受信機１９から送られる計測タイムの送信要求（ポーリング）も受信する。そして、受信した送信要求を送信ユニット３９に供給する。
【００５３】
タイム補正ユニット３３は、計時地点にて受信ユニット３２が受信したタイム情報に基づいて、計時ユニット３４が計時するカウントアップ時刻を補正する。その際、タイム補正した時差（受信したカウントアップ時刻と計時ユニット３４にて計時していたカウントアップ時刻との時差）を求め、記憶部３８の累積時差βに加算して記憶する。そして、累積時差βから単位時間あたりの補正値αを求め、記憶部３８に記憶する（更新する）。また、タイム補正等を行った計時地点を明らかにするために、タイム情報と共に送られる関門ＩＤを記憶部３８に記憶する（更新する）。
なお、スタート地点のタイム送信機１５から最初のタイム情報等が送られる以前では、それまで計時ユニット３４に時刻が未設定であったため、タイム補正ユニット３３は、スタート地点のタイム送信機１５から送られるカウントダウン時刻を、受信ユニット３２が例えば、１秒間隔で３回以上受信した後に、正当なカウントダウン時刻を計時ユニット３４に設定する。
具体的にタイム送信機１５から正常時に「３０：０１，３０：００，２９：５９」と、１秒間隔で３回に渡り、カウントダウン時刻が送信された場合、タイム補正ユニット３３は、経時的に変化するはずの３つのランニングタイムを参酌して、正当なカウントダウン時刻を計時ユニット３４に設定する。つまり、３つの内、１つのランニングタイムが不正確な値（「３０：９９」等の文字化け）であったとしても、多数決により、残りの２つの正常なランニングタイムから正当な（正確な）ランニングタイムを特定して計時ユニット３４に設定する。
一例として、「３０：０１，３０：９９，２９：５９」という３つのカウントダウン時刻を受信した場合、これらのカウントダウン時刻を受信後に、正当な「２９：５９」が計時ユニット３４に設定される。同様に、「３０：９９，３０：００，２９：５９」というカウントダウン時刻を受信した場合に、「２９：５９」が計時ユニット３４に設定される。更に、「３０：０１，３０：００，２９：９９」というカウントダウン時刻を受信した場合にも、「２９：５９」が特定され計時ユニット３４に設定される。
なおこの際、タイム補正ユニット３３は、スタート地点のタイム送信機１５からカウントダウン時刻と共に送られたしきい値ｎを記憶部３８に記憶する。
【００５４】
また、計時地点で受信したカウントアップ時刻と計時ユニット３４にて計時していたカウントアップ時刻との時差が、記憶部３８に記憶したしきい値ｎよりも大きい場合に、タイム補正ユニット３３は、タイム補正を行わない。これは、何らかの原因により、送信されたカウントアップ時刻又は受信したカウントアップ時刻に文字化け等が生じてしまっていることが考えられるため、タイム補正ユニット３３は、不正確と思われるカウントアップ時刻をそのまま破棄する。この場合、関門ＩＤの更新も行わない。
【００５５】
計時ユニット３４は、タイム補正ユニット３３により適宜補正（設定）され、受信ユニット３２が受信した時刻（カウントダウン時刻、若しくは、カウントアップ時刻）に同期した時刻を計時する。
つまり、計時ユニット３４は、スタート地点のタイム送信機１５からカウントダウン時刻が送られると、その時刻に同期し、上述したタイマコンソール１１のタイマ１１ｅと同様に、スタート予定時刻までのカウントダウン時刻を計時すると共に、スタート予定時刻からのカウントアップ時刻を計時する。
また、計時ユニット３４は、計時地点のタイム送信機１５からカウントアップ時刻（ランニングタイム）が送られると、その時刻に同期し、補正済みのカウントアップ時刻を計時する。
計時ユニット３４は、安定水晶発振器を備えており、カウントダウン時刻やカウントアップ時刻の計時を安定して維持することが可能となっている。
【００５６】
トリガアンテナ３５は、トリガ信号発生装置１８が発するマイクロ波に同調し、トリガ信号を受信する。
トリガ検出ユニット３６は、トリガアンテナ３５を介して、トリガ信号を検出する。そして、検出結果をタイム特定ユニット３７に通知する。例えば、トリガ検出ユニット３６は、トリガ信号のＯＮタイミング（トリガ信号を検出していない状態から最初にトリガ信号を検出したタイミング）、及び、トリガ信号のＯＦＦタイミング（トリガ信号を検出していた状態から検出を終えたタイミング）を、タイム特定ユニット３７に通知する。
【００５７】
タイム特定ユニット３７は、トリガ検出ユニット３６が検出したトリガ信号に基づいて計測ゾーンＺを判別し、計測ゾーンＺ内において計時ユニット３４が計時したカウントアップ時刻（ランニングタイム）を計測タイムとして特定する。
例えば、タイム特定ユニット３７は、競技者ＲＮが計測ゾーンＺに到達し、トリガ信号のＯＮタイミングがトリガ検出ユニット３６から通知されると、計時ユニット３４が計時しているカウントアップ時刻を開始時刻として、記憶部３８に記憶する。その後、競技者ＲＮが計測ゾーンＺを通過し、トリガ信号のＯＦＦタイミングがトリガ検出ユニット３６から通知されると、計時ユニット３４が計時しているカウントアップ時刻を終了時刻として、記憶部３８に記憶する。そして、タイム特定ユニット３７は、開始時刻と終了時刻との中間値を求め、競技者ＲＮが計時ラインＬを通過した計測タイムとして特定する。
タイム特定ユニット３７は、開始時間及び終了時間を記憶部３８から消去し、特定した計測タイムを記憶部３８に記憶する。
【００５８】
記憶部３８は、受信ユニット３２が受信したしきい値ｎや、タイム補正ユニット３３が求めた補正値α，累積時差βや、タイム補正を行った地点の関門ＩＤや、タイム特定ユニット３７が特定した計測タイム等を記憶する。
また、記憶部３８は、無線タグ３０毎（競技者ＲＮ毎）に異なる固有のタグＩＤを予め記憶している。
【００５９】
送信ユニット３９は、受信ユニット３２がタイム情報等を受信した際に、その応答として、記憶部３８から読み出したタグＩＤをタグＩＤ受信機１６に向けて送信する。その際、コリジョンの発生を抑えるために、無線タグ３０毎に定められた、異なる応答タイミングにて、タグＩＤを送信する。
また、送信ユニット３９は、タイム特定ユニット３７により計測タイムが特定された後に、記憶部３８からタグＩＤ、計測タイム、関門ＩＤ、及び、補正値αを読み出して、計測タイム受信機１９に送信する。また、送信ユニット３９は、計測タイム受信機１９からのポーリングに応答して、計測タイム等を計測タイム受信機１９に送信する。
【００６０】
以下、上述した構成の競技用計時システム１の動作について、図面を参照して説明する。
最初に図７を参照して、タイム情報を受信する無線タグ３０の動作について説明する。図７は、無線タグ３０が実行するタイム情報受信処理を説明するためのフローチャートである。このタイム情報受信処理は、スタート地点や計時地点のタイム送信機１５からタイム情報（カウントダウン時刻やカウントアップ時刻）等が送信された際に開始される。
【００６１】
まず、無線タグ３０は、タイム情報等を受信する（ステップＳ１１）。つまり、受信ユニット３２は、アンテナ３１を介して、タイム送信機１５から送信されるタイム情報及び、関門ＩＤを含む情報を受信する。なお、スタート地点のタイム送信機１５からは、タイム情報（カウントダウン時刻）、関門ＩＤ（値が０）及び、しきい値ｎを含む情報を受信する。
【００６２】
無線タグ３０は、受信した関門ＩＤが０であるか否かを判別する（ステップＳ１２）。すなわち、受信した関門ＩＤがスタート地点のタイム送信機１５から送られたカウントダウン時刻等であるか否かを判別する。
【００６３】
無線タグ３０は、関門ＩＤが０である（スタート地点のタイム送信機１５から送られたカウントダウン時刻等である）と判別すると、複数のカウントダウン時刻を受信する（ステップＳ１３）。つまり、スタート地点のタイム送信機１５から連続して複数回（例えば、１秒間隔で３回以上）に渡って送られるカウントダウン時刻を受信する。
【００６４】
無線タグ３０は、複数のカウントダウン時刻から正当なカウントダウン時刻を特定する（ステップＳ１４）。すなわち、それまで時刻が未設定であったため、タイム補正ユニット３３は、経時的に変化するはずの複数のカウントダウン時刻を参酌して、正当なカウントダウン時刻を特定する。
【００６５】
無線タグ３０は、特定したカウントダウン時刻を設定し、その計時を開始する（ステップＳ１５）。つまり、タイム補正ユニット３３は、特定したランニングタイムを計時ユニット３４に設定し、そして、計時ユニット３４は、スタート予定時刻までのカウントダウン時刻の計時を開始する。
【００６６】
無線タグ３０は、しきい値ｎを記憶する（ステップＳ１６）。つまり、タイム補正ユニット３３は、カウントダウン時刻と共に送られたしきい値ｎを記憶部３８に記憶する。
そして、無線タグ３０は、カウントダウン時刻が０となると、その時点から（０から）のカウントアップ時刻を計時する。また、実際の競技は、例えば、スタート予定時刻の前後に開始され、競技者ＲＮは、無線タグ３０と共に移動（走行）を開始する。
【００６７】
一方、上述のステップＳ１２にて関門ＩＤが０でない（計時地点のタイム送信機１５から送られたタイム情報である）と判別した場合に、無線タグ３０は、計時しているカウントアップ時刻との時差を求める（ステップＳ１７）。つまり、タイム補正ユニット３３は、計時地点で受信したカウントアップ時刻（ランニングタイム）と計時ユニット３４にて計時していたカウントアップ時刻との時差を求める。
【００６８】
無線タグ３０は、求めた時差がしきい値ｎより大きいか否かを判別する（ステップＳ１８）。すなわち、タイム補正ユニット３３は、計時地点で受信したカウントアップ時刻が正確であるか否かを判別する。
そして、無線タグ３０は、求めた時差がしきい値ｎより大きいと判別すると、後述するステップＳ２２に処理を進める。つまり、不正確と思われるカウントアップ時刻そのまま破棄し、関門ＩＤの更新も行わない。
【００６９】
一方、求めた時差がしきい値ｎより大きくない（しきい値ｎ以内である）と判別すると、無線タグ３０は、自己が計時していたカウントアップ時刻を補正する（ステップＳ１９）。つまり、タイム補正ユニット３３は、受信したカウントアップ時刻と同期するように、計時ユニット３４が計時する時刻を補正する。
【００７０】
無線タグ３０は、累積時差βに時差を加算し、補正値αを求めて記憶する（ステップＳ２０）。つまり、タイム補正ユニット３３は、求めた時差を記憶部３８の累積時差βに加算して記憶すると共に、累積時差βから単位時間あたりの補正値αを求め、記憶部３８に記憶する（更新する）。
【００７１】
無線タグ３０は、関門ＩＤを更新する（ステップＳ２１）。すなわち、タイム補正ユニット３３は、タイム補正（タイム設定）を行った計時地点を明らかにするために、タイム情報と共に送られる関門ＩＤを記憶部３８に記憶する（更新する）。
【００７２】
無線タグ３０は、受信したタイム情報の応答としてタグＩＤを送信する（ステップＳ２２）。つまり、送信ユニット３９は、記憶部３８から読み出したタグＩＤをタグＩＤ受信機１６に向けて送信する。
【００７３】
このように、無線タグ３０が行うタイム情報受信処理により、スタート地点では、受信した複数のカウントダウン時刻から正当なカウントダウン時刻が計時ユニット３４に設定される。そして、計時ユニット３４は、スタート予定時刻までのカウントダウン時刻を計時すると共に、スタート予定時刻からのカウントアップ時刻を計時する。
一方、計時地点では、受信したカウントアップ時刻（ランニングタイム）の正確さがしきい値ｎにより検証され、カウントアップ時刻が不正確であれば、計時ユニット３４の時刻補正が行われない。また、カウントアップ時刻が正確であれば、計時ユニット３４が時刻補正され、累積時差βに時差が加算され補正値αが求められ、そして、補正を行った計時地点を示す関門ＩＤが記憶される。
【００７４】
次に、図８を参照して、タグコンソール１７（計時時点のタグコンソール１７）の動作について説明する。図８は、計時時点のタグコンソール１７が実行する計測タイム取得処理を説明するためのフローチャートである。この計測タイム取得処理は、計測タイム受信機１９が無線タグ３０から送られた計測タイム等を受信した際に逐次開始される。
【００７５】
まず、タグコンソール１７は、無線タグ３０から送られた計測タイム等を取得する（ステップＳ３１）。つまり、計測タイム受信機１９が受信したタグＩＤ、計測タイム、関門ＩＤ、及び、補正値αを含む情報を取得する。
【００７６】
タグコンソール１７は、ポーリングリストから対象のタグＩＤを削除する（ステップＳ３２）。すなわち、計測タイム等の取得を終えて不要となった無線タグ３０のタグＩＤをポーリングリストから削除する。
【００７７】
タグコンソール１７は、受信した関門ＩＤが０（スタート地点）であるか否かを判別する（ステップＳ３３）。つまり、計測タイムが、スタート予定時刻を起点としたカウントアップ時刻に基づいて計時されているか否かを判別する。
タグコンソール１７は、関門ＩＤが０でないと判別すると、後述するステップＳ３６に処理を進める。
【００７８】
一方、関門ＩＤが０であると判別した場合に、タグコンソール１７は、差分情報を記憶済みであるか否かを判別する（ステップＳ３４）。つまり、当該計時地点のタイマコンソール１１から差分情報が送られ、自己のメモリに記憶済みであるか否かを判別する。
タグコンソール１７は、差分情報を記憶済みでないと判別すると、後述するステップＳ３８に処理を進める。なお、この場合、データサーバ２２に計測タイムが送られた後に、差分情報により適宜計測タイムが補正されるものとする。
【００７９】
一方、差分情報を記憶済みであると判別した場合に、タグコンソール１７は、差分情報を使用して、計測タイムを補正する（ステップＳ３５）。つまり、計測タイムを計時する際に、無線タグ３０（計時ユニット３４）にて計時していたカウントアップ時刻が、実際のランニングタイム（差分情報によって補正されたカウントアップ時刻等）とずれているため、タグコンソール１７は、自己のメモリに記憶した差分情報を用いて、計測タイムを補正する。
そして、後述するステップＳ３８に処理を進める。
【００８０】
また、上述のステップＳ３３にて、関門ＩＤが０でないと判別した場合に、タグコンソール１７は、関門ＩＤが当該計時地点のものと一致しているか否かを判別する（ステップＳ３６）。つまり、タグコンソール１７は、関門ＩＤが当該計時地点のタイム送信機１５の関門ＩＤと同じであるか否かを判別する。
ここで、関門ＩＤが一致している場合には、当該計時地点にて無線タグ３０のカウントアップ時刻が補正されており、一方、関門ＩＤが一致していない場合には、当該計時地点にて補正が行われておらず、以前の計時地点にて補正が行われていることになる。具体的に、マラソンコースの各５ｋｍ間隔（例えば、５ｋｍ地点、１０ｋｍ地点、１５ｋｍ地点等）に計時地点があるとき、当該計時地点（例えば、１５ｋｍ地点）で関門ＩＤが一致している場合には、当該計時地点にて無線タグ３０のカウントアップ時刻が補正されている。一方、関門ＩＤが一致していない場合には、当該計時地点にて補正が行われておらず、それより以前の計時地点（例えば、１０ｋｍ地点）にて補正が行われていることになる。
【００８１】
タグコンソール１７は、関門ＩＤが一致していると判別すると、計測タイムの補正が不要であるため、後述するステップＳ３８に処理を進める。
一方、関門ＩＤが一致していないと判別した場合に、タグコンソール１７は、補正値αを使用して、計測タイムを補正する（ステップＳ３７）。例えば、タグコンソール１７は、上述の数式１により計測タイムを補正する。すなわち、以前の計時地点（例えば、１０ｋｍ地点）での補正値αを参酌して、計測タイムを補正する。
【００８２】
タグコンソール１７は、計測タイムをデータサーバ２２に送信する（ステップＳ３８）。つまり、タグコンソール１７は、取得した計測タイム又は補正した計測タイムを、タグＩＤと共にデータサーバ２２に送信する。
【００８３】
このように、計時地点のタグコンソール１７が行う計測タイム取得処理により、無線タグ３０の計時する時刻が適切でない場合に、実際のランニングタイムを基準にした計測タイムに補正することができる。つまり、計測タイムが、スタート予定時刻を起点としたカウントアップ時刻により計時されている場合に、差分情報により補正され、また、計測タイムが、誤差が生じたカウントアップ時刻により計時されている場合に、補正値αにより補正される。
この結果、競技者個々のタイムを適切に計時することができる。
【００８４】
上記の実施の形態では、スタート地点とゴール地点とが異なる場合を一例として説明したが、スタート地点とゴール地点が同じ場合にも、同様に適用可能である。
【００８５】
上記の実施の形態では、マラソン競技を一例として説明したが、計時対象の競技は、これに限られず任意である。
例えば、駅伝、競歩、身障者車椅子ロードレース、自転車ロードレース、トライアスロン、及び、ランニングやオリエンテーション等の山岳競技等にも適宜適用可能である。
【００８６】
以上説明したように、本発明によれば、競技者個々のタイムを適切に計時することができる。
【図面の簡単な説明】
【００８７】
【図１】本発明の実施の形態に係る競技用計時システムの構成の一例を示す模式図である。
【図２】タイマコンソールの構成の一例を示すブロック図である。
【図３】（ａ）〜（ｃ）共に、各タイマコンソールにて計時される時刻を説明するための模式図である。
【図４】ポーリングリストの一例を示す模式図である。
【図５】タグコンソールの機能的な構成の一例を示すブロック図である。
【図６】無線タグの構成の一例を示すブロック図である。
【図７】無線タグが実行するタイム情報受信処理を説明するためのフローチャートである。
【図８】タグコンソールが実行する計測タイム取得処理を説明するためのフローチャートである。
【符号の説明】
【００８８】
１    競技用計時システム
１１  タイマコンソール
１２  標準時刻受信機
１３  無線通信端末
１４  時刻表示装置
１５  タイム送信機
１６  タグＩＤ受信機
１７  タグコンソール
１８  トリガ信号発生装置
１９  計測タイム受信機
２０  撮影装置
２１  映像記録装置
２２  データサーバ
３０  無線タグ
【図１】
2006133151.tif 000003
【図２】
2006133151.tif 000004
【図３】
2006133151.tif 000005
【図４】
2006133151.tif 000006
【図５】
2006133151.tif 000007
【図６】
2006133151.tif 000008
【図７】
2006133151.tif 000009
【図８】
2006133151.tif 000010